(57)【要約】【課題】  ネットによる地盤拘束効果をさらに高める斜面安定化工法を提供する。【解決手段】  斜面にアンカー１を分布させて設置しかつネット２を敷設する斜面安定化工法において、敷設したネットの任意の地点で、ワイヤ１０をネット２にスライド可能に係合させつつ縮径可能なループ１０ａにし、ワイヤ１０を引っ張って前記ループ１０ａを収縮させることによりネット２を引き締めて、ネットに緊張力を与える。次いでワイヤ１０のループ１０ａが拡大しないようにループ交点を固定する。ネット２が緊張状態となるので、土塊移動が生じる際に直ちにネット２を介して斜面上方のアンカー１に荷重が伝達され、土塊が微少変形を起こす早い時点で地盤拘束作用を発揮する。【選択図】  図３
2006037533.tif 000002
【特許請求の範囲】
【請求項１】
斜面にアンカーを分布させて設置しかつネットを敷設する斜面安定化工法において、
敷設したネットの任意の地点で、ワイヤをネットにスライド可能に係合させつつ縮径可能なループにし、ワイヤを引っ張って前記ループを収縮させることによりネットを引き締めて、ネットに緊張力を与え、次いでワイヤのループが拡大しないようにループ交点を固定することを特徴とする斜面安定化工法。
【請求項２】
斜面にアンカーを分布させて設置しかつネットを敷設する斜面安定化工法において、
敷設したネットの任意の地点で、その周辺のネット線材の複数個所に、ワイヤをスライド可能に挿通させるワイヤ挿通穴を持つループ用金具を取り付け、ワイヤを前記ループ用金具のワイヤ挿通穴に通して縮径可能なループにし、前記ワイヤを引っ張って前記ループを収縮させることによりネットを引き締めて、ネットに緊張力を与え、次いでワイヤのループが拡大しないようにループ交点を固定することを特徴とする斜面安定化工法。
【請求項３】
斜面にアンカーを分布させて設置しかつネットを敷設する斜面安定化工法において、
敷設したネットの任意の地点で、１つの網目の周をなすネット線材の複数個所に、ワイヤをスライド可能に挿通させるワイヤ挿通穴を持つループ用金具を取り付け、ワイヤを前記ループ用金具のワイヤ挿通穴に通して縮径可能なループにし、前記ワイヤを引っ張って前記ループを収縮させることにより前記網目を収縮させて、ネットに緊張力を与え、次いでワイヤのループが拡大しないようにループ交点を固定することを特徴とする斜面安定化工法。
【請求項４】
前記ループ用金具は、ネットの線材を横から嵌入可能な、前記ワイヤ挿通穴と平行な凹溝を持ち、この凹溝にネット線材を横から嵌入させた後圧縮して、ネット線材に取り付けることを特徴とする請求項２又は３記載の斜面安定化工法。
【請求項５】
斜面にアンカーを分布させて設置しかつネットを敷設する斜面安定化工法において、
敷設したネットの任意の地点で、少なくとも１つの網目を囲んで環状配置をなす複数の網目にワイヤを通して縮径可能なループにし、前記ワイヤを引っ張って前記ループを収縮させることにより、前記環状配置の複数の網目をループ中心に引き寄せて、ネットに緊張力を与え、次いでワイヤのループが拡大しないようにループ交点を固定することを特徴とする斜面安定化工法。
【請求項６】
前記ネットが、針金又はワイヤのリングを互いに絡ませて網目を形成したネットであることを特徴とする請求項１〜５記載の斜面安定化工法。
【請求項７】
ワイヤのループが拡大しないようにループ交点を固定するループ交点固定手段として、Ｕボルトとその両側のネジ軸部を通す２つの穴を持つ押さえ具とＵボルトの両側のネジ軸部にそれぞれ螺合するナットとからなるワイヤクリップを用い、このワイヤクリップでループ交点のワイヤ重ね合わせ部を締め付け固定することを特徴とする請求項１〜６記載の斜面安定化工法。
【請求項８】
ワイヤのループが拡大しないようにループ交点を固定するループ交点固定手段として、ワイヤをスライド可能に挿通させるワイヤ挿通穴を持つ、圧縮可能な金属からなるループ交点固定金具をワイヤの基端側に取り付けることを特徴とする請求項１〜６記載の斜面安定化工法。
【請求項９】
前記ループ交点固定金具に、ワイヤ基端部係合用の第２のワイヤ挿通穴を設け、この第２のワイヤ挿通穴に、基端部に膨大部を形成したワイヤを先端側から挿通させることで、ループ交点固定金具をワイヤの基端部に抜けないように取り付けることを特徴とする請求項８記載の斜面安定化工法。
【請求項１０】
斜面にアンカーを分布させて設置しかつネットを敷設する斜面安定化工法において、
前記ネットが、針金又はワイヤのリングを互いに絡ませて網目を形成したネットであり、その一部のリングが、
ワイヤをスライド可能に挿通させるワイヤ挿通穴を持つループ交点固定金具を一端側に取り付けたワイヤの他端側を前記ループ交点固定金具の前記ワイヤ挿通穴に通して縮径可能なループにしたループ型リングであり、
前記ワイヤを引っ張ってループを収縮させることにより前記ループ型リングを収縮させて、ネットに緊張力を与え、次いでワイヤのループが拡大しないようにループ交点を固定することを特徴とする斜面安定化工法。
【請求項１１】
斜面にアンカーを分布させて設置しかつネットを敷設する斜面安定化工法において、
前記ネットが、針金又はワイヤのリングを互いに絡ませて網目を形成したネットであり、そのすべてのリングが、
ワイヤをスライド可能に挿通させるワイヤ挿通穴を持つループ交点固定金具を一端側に取り付けたワイヤの他端側を前記ループ交点固定金具の前記ワイヤ挿通穴に通して縮径可能なループにしたループ型リングから構成され、
任意のループ型リングにおけるワイヤを引っ張ってループを収縮させることにより当該ループ型リングを収縮させて、ネットに緊張力を与え、次いでワイヤのループが拡大しないようにループ交点を固定することを特徴とする斜面安定化工法。
【請求項１２】
前記各アンカーの頭部側がネジ部でありこの頭部に支圧板を取り付けこれを締着して地盤に対する支圧力を与えることを特徴とする請求項１〜１１記載の斜面安定化工法。
【請求項１３】
斜面にアンカーを分布させて設置しかつネットを敷設した斜面安定化構造であって、
敷設したネットの任意の地点でそれぞれ、当該ネットに係合してループ状をなすワイヤによりネットが引き締められていることを特徴とする斜面安定化構造。
【発明の詳細な説明】
【技術分野】
【０００１】
この発明は、斜面にアンカーを分布させて設置しかつネットを敷設して斜面の安定化を図る斜面安定化工法及び構造に関する。
【背景技術】
【０００２】
斜面の安定化を図る斜面安定化工法として、斜面に多数のアンカーを分布させて設置する斜面安定化工法が知られている。この場合、一般的には、アンカーとしてアンカーボルトを用い、各アンカーボルトに支圧板を取り付けこれを締着して地盤に対する支圧力を与える。すなわち、アンカーボルト自体の抵抗で地盤を拘束するとともに、支圧板の支圧力により地盤拘束効果を高める。
また、この種の斜面安定化工法において、各アンカー間をロープで連結するとともにロープに張力を与える斜面安定化工法もある（特開２０００−１３６５３５号）。この場合、土塊移動が生じる際にロープが隣接する斜面上方のアンカーに荷重を伝達することで、地盤拘束効果がさらに高まる。
【０００３】
また、ロープの代わりにネットを敷設し、このネットで斜面を面状に押さえる地盤押さえ込み作用で地盤拘束効果を高める斜面安定化工法もある。
例えば、特開２００１−８１７８４号では、斜面に敷設したネットの上にワイヤ（ＰＣ鋼より線）を格子状に敷設し、この格子状ワイヤを、アンカー頭部に取り付けた支圧板で押し下げることで、格子状ワイヤを介してネットを斜面に押し付け、斜面を面状に押さえる。
また、特開２００１−１１８６３号では、斜面に敷設したネットを、アンカー頭部に取り付けた支圧板で押し付けることで、斜面を面状に押さえている。
このように、アンカー設置とともにネットを敷設する従来工法ではいずれも、ネットを斜面に直接押し付けるものである。
【特許文献１】特開２０００−１３６５３５号
【特許文献２】特開２００１−８１７８４号
【特許文献３】特開２００１−１１８６３号
【発明の開示】
【発明が解決しようとする課題】
【０００４】
ネットを敷設して斜面を面状に押さえることは、地盤拘束効果を高めるために有効であるが、このネットによる地盤拘束効果をさらに高めることができることが望ましい。
本発明は上記背景のもとになされたもので、アンカー設置とともにネットを敷設する斜面安定化工法において、ネットによる地盤拘束効果をさらに高めることが可能な斜面安定化工法及び構造を提供することを目的とする。
【課題を解決するための手段】
【０００５】
上記課題を解決する請求項１の発明は、斜面にアンカーを分布させて設置しかつネットを敷設する斜面安定化工法において、
敷設したネットの任意の地点で、ワイヤをネットにスライド可能に係合させつつ縮径可能なループにし、ワイヤを引っ張って前記ループを収縮させることによりネットを引き締めて、ネットに緊張力を与え、次いでワイヤのループが拡大しないようにループ交点を固定することを特徴とする。
ここでループ交点とは、１本のワイヤを湾曲させてループを形成した時のワイヤ交点又はワイヤ接点部分を指す。
【０００６】
請求項２の発明は、斜面にアンカーを分布させて設置しかつネットを敷設する斜面安定化工法において、
敷設したネットの任意の地点で、その周辺のネット線材の複数個所に、ワイヤをスライド可能に挿通させるワイヤ挿通穴を持つループ用金具を取り付け、ワイヤを前記ループ用金具のワイヤ挿通穴に通して縮径可能なループにし、前記ワイヤを引っ張って前記ループを収縮させることによりネットを引き締めて、ネットに緊張力を与え、次いでワイヤのループが拡大しないようにループ交点を固定することを特徴とする。
【０００７】
請求項３の発明は、斜面にアンカーを分布させて設置しかつネットを敷設する斜面安定化工法において、
敷設したネットの任意の地点で、１つの網目の周をなすネット線材の複数個所に、ワイヤをスライド可能に挿通させるワイヤ挿通穴を持つループ用金具を取り付け、ワイヤを前記ループ用金具のワイヤ挿通穴に通して縮径可能なループにし、前記ワイヤを引っ張って前記ループを収縮させることにより前記網目を収縮させて、ネットに緊張力を与え、次いでワイヤのループが拡大しないようにループ交点を固定することを特徴とする。
【０００８】
請求項４は、請求項２又は３の斜面安定化工法において、前記ループ用金具が、ネットの線材を横から嵌入可能な、前記ワイヤ挿通穴と平行な凹溝を持ち、この凹溝にネット線材を横から嵌入させた後圧縮して、ネット線材に取り付けることを特徴とする。
【０００９】
請求項５の発明は、斜面にアンカーを分布させて設置しかつネットを敷設する斜面安定化工法において、
敷設したネットの任意の地点で、少なくとも１つの網目を囲んで環状配置をなす複数の網目にワイヤを通して縮径可能なループにし、前記ワイヤを引っ張って前記ループを収縮させることにより、前記環状配置の複数の網目をループ中心に引き寄せて、ネットに緊張力を与え、次いでワイヤのループが拡大しないようにループ交点を固定することを特徴とする。
【００１０】
請求項６は、請求項１〜５の斜面安定化工法において、前記ネットが、針金又はワイヤのリングを互いに絡ませて網目を形成したネットであることを特徴とする。
【００１１】
請求項７は、請求項１〜６記載の斜面安定化工法において、ワイヤのループが拡大しないようにループ交点を固定するループ交点固定金具として、Ｕボルトとその両側のネジ軸部を通す２つの穴を持つ押さえ具とＵボルトの両側のネジ軸部にそれぞれ螺合するナットとからなるワイヤクリップを用い、このワイヤクリップでループ交点のワイヤ重ね合わせ部を締め付け固定することを特徴とする。
【００１２】
請求項８の発明は、請求項１〜６の斜面安定化工法において、ワイヤのループが拡大しないようにループ交点を固定するループ交点固定手段として、ワイヤをスライド可能に挿通させるワイヤ挿通穴を持つ、圧縮可能な金属からなるループ交点固定金具をワイヤの基端側に取り付けることを特徴とする。
【００１３】
請求項９は、請求項８の斜面安定化工法において、前記ループ交点固定金具に、ワイヤ基端部係合用の第２のワイヤ挿通穴を設け、この第２のワイヤ挿通穴に、基端部に膨大部を形成したワイヤを先端側から挿通させることで、ループ交点固定金具をワイヤの基端部に抜けないように取り付けることを特徴とする。
【００１４】
請求項１０は、斜面にアンカーを分布させて設置しかつネットを敷設する斜面安定化工法において、
前記ネットが、針金又はワイヤのリングを互いに絡ませて網目を形成したネットであり、その一部のリングが、
ワイヤをスライド可能に挿通させるワイヤ挿通穴を持つループ交点固定金具を一端側に取り付けたワイヤの他端側を前記ループ交点固定金具の前記ワイヤ挿通穴に通して縮径可能なループにしたループ型リングであり、
前記ワイヤを引っ張ってループを収縮させることにより前記ループ型リングを収縮させて、ネットに緊張力を与え、次いでワイヤのループが拡大しないようにループ交点を固定することを特徴とする。
【００１５】
請求項１１は、斜面にアンカーを分布させて設置しかつネットを敷設する斜面安定化工法において、
前記ネットが、針金又はワイヤのリングを互いに絡ませて網目を形成したネットであり、そのすべてのリングが、
ワイヤをスライド可能に挿通させるワイヤ挿通穴を持つループ交点固定金具を一端側に取り付けたワイヤの他端側を前記ループ交点固定金具の前記ワイヤ挿通穴に通して縮径可能なループにしたループ型リングから構成され、
任意のループ型リングにおけるワイヤを引っ張ってループを収縮させることにより当該ループ型リングを収縮させて、ネットに緊張力を与え、次いでワイヤのループが拡大しないようにループ交点を固定することを特徴とする。
【００１６】
請求項１２は、請求項１〜１１の斜面安定化工法において、前記各アンカーの頭部側がネジ部でありこの頭部に支圧板を取り付けこれを締着して地盤に対する支圧力を与えることを特徴とする。
【００１７】
請求項１３の発明は、斜面にアンカーを分布させて設置しかつネットを敷設した斜面安定化構造であって、
敷設したネットの任意の地点でそれぞれ、当該ネットに係合してループ状をなすワイヤによりネットが引き締められていることを特徴とする。
【発明の効果】
【００１８】
アンカー設置とともにネットを敷設する斜面安定化工法では、アンカー自体の抵抗で地盤が拘束され地盤の安定化が図られるとともに、ネットが地盤を面状に押さえることによる地盤押さえ込み作用で地盤拘束効果が高まるが、本発明ではさらに、敷設したネットの任意の地点で、ワイヤをネットに係合させつつループにし、ワイヤを引っ張りループを収縮させることによりネットを引き締めて、ネットに緊張力を与える（すなわちネットを緊張状態にする）ので、土塊移動が生じる際に直ちにネットを介して斜面上方のアンカーに荷重を伝達させることができ、したがって、土塊が微少変形を起こす早い時点で地盤拘束作用を発揮することができ、地盤拘束効果が向上する。
また、ネットに緊張力を与える手段として、ネットに係合させてループを形成したワイヤを引っ張り、ループ交点固定金具等でループ交点を固定するという簡単な操作で済み、人力で作業できるので、不安定な斜面に特別な機械を搬入するような困難さは生じず、施工性が良好である。
【００１９】
請求項２の斜面安定化工法によれば、ワイヤ挿通穴を持つループ用金具をネットの所望の個所に取り付けることで、ワイヤによるネットの網目収縮部分を任意に設定できる。
請求項３の方法によれば、１つの網目を均等に収縮させることができ、ネットに放射状の均等な緊張力を与えることができる。
【００２０】
請求項４のループ用金具を用いると、ネットの線材を凹溝に横から嵌入して固定できるので、ループ用金具を簡単にネットに固定することができ、単にネットを敷設しただけの従来の斜面安定化工法のネットに本発明を適用する場合に有効である。
【００２１】
請求項５の斜面安定化工法によれば、ワイヤがネットの網目交点に係合する形でループを形成できるので、別途ループ用金具を用いることが不要であり、施工が簡略化される。
【００２２】
本発明において、ネットを引き締める操作のためには網目が大きい方が容易なので、請求項６のように、ネットとして大きな網目を形成し易い、リングからなるネットを用いるのが好適である。
【００２３】
請求項７のようにワイヤクリップを用いると、スパナだけでループ固定作業を行うことができ容易である。また、市販のワイヤクリップを用いることができるので便利である。
【００２４】
請求項８によれば、ワイヤの基端部に取り付けたループ交点固定金具によりワイヤのループを形成し、かつループ交点固定金具を圧縮してループを固定できるので、必要な部品の種類が少なく済み、施工性や経済性の点で好ましい。
【００２５】
請求項９によれば、ワイヤをループ交点固定金具のワイヤ基端部係合用の第２のワイヤ挿通穴に通すだけで、ワイヤの基端部の膨大部により抜け止めが図られるので、ループ交点固定金具をワイヤの基端部に取り付けることが簡単になる。
【００２６】
請求項１０の斜面安定化工法によれば、収縮させるべき網目自体がワイヤのループで形成されているので、網目の均等な収縮が行われ、ネットに放射状の均等な緊張力を与えることができる。また、ワイヤのループを収縮させることが、ネットの１つの網目（リング）を収縮させることと同一なので、構成が一層簡略化される。
【００２７】
請求項１１の斜面安定化工法によれば、リングからなるネットのすべてのリングがワイヤのループで形成されているので、任意の網目を選択して収縮させることができ、施工現場の状況に応じた適切な地点でネットに緊張力を発生させることができる。
【発明を実施するための最良の形態】
【００２８】
以下、本発明の斜面安定化工法の実施例を、図１〜図１８参照して説明する。なお、本発明の斜面安定化工法の実施例は、本発明の斜面安定化構造の実施例にもなるので、以下では斜面安定化工法として説明する。
【実施例１】
【００２９】
図１〜図６に本発明の斜面安定化工法の一実施例を示す。図１は実施例の斜面安定化工法におけるネット引き締め部の近傍を説明するもので、ネット引き締め前の段階における斜面の要部断面図、図２は図１の斜面のネット引き締め前の模式的な平面図、図３はネット引き締めを行った後の模式的な平面図である。
この実施例の斜面安定化工法は、斜面に多数のアンカーボルト１を分布させて設置しかつネット２を敷設するとともに、各アンカーボルト１の頭部に支圧板３を取り付け、アンカーボルト１の頂部に螺合させたナット４をねじ込んで支圧板３を締着し地盤に対する支圧力を与える工法である。なお、図１〜図３は支圧板３をアンカーボルト１の頭部に取り付け締着する前の段階を示す。
【００３０】
本発明では、敷設したネット２の任意の地点で、ワイヤ１０をネット２にスライド可能に係合させつつ縮径可能なループ１０ａにし、ワイヤ１０を引っ張って前記ループ１０ａを収縮させることによりネット２を引き締めて、ネット２に緊張力を与え、次いでワイヤ１０のループ１０ａが拡大しないようにループ交点を固定する。
【００３１】
この実施例ではネット２として、図１５にも示すように、リングからなるネット、すなわち針金又はワイヤのリング２ａを互いに絡ませて網目を形成したネットを用いている。図１７にリングからなるネット２の部分拡大図を示す。この実施例ではアンカーボルト１がネット２のリング２ａ内に位置する場合であるが、図１６のようにアンカーボルト１がリング２ａ間に位置する場合もある。具体例としては例えば、網目ピッチが５０ｃｍであり、同じく２メートル程度の間隔でアンカーボルト１を設置する。
【００３２】
具体的施工手順について説明すると、斜面のアンカーボルト１を設置すべき個所にそれぞれアンカー穴６をあけ、アンカーボルト１を挿入した後、各アンカー穴６にグラウト７を注入して各アンカーボルト１を地盤に固定する。次いで、ネット２を敷設する。なお、ネットはアンカー設置領域の全体に敷設する場合に限らず一部だけに敷設する場合もある。また、通常はアンカーボルト１を設置してからネット２を敷設するが、必ずしも、ネット２を敷設してからアンカーボルト１を設置することを除外しない。
【００３３】
次いで、ネット２の適宜の地点で、ワイヤ１０によりネット２を引き締めてネット２に緊張力を与えるが、この実施例ではネット２の１つの網目を収縮させることでネット２の引き締めを行う。具体的には、図２に示すように、ネット２の収縮させようとする１つの網目の周上の例えば４ヶ所にループ用金具１２を予め固定しておく。このループ用金具１２は、図４、図５に拡大して示すように、ワイヤ１０をスライド可能に挿通させるワイヤ挿通穴１２ａを持つ構成であり、図示のようにワイヤ１０を各ワイヤ挿通穴１２ａに挿入し、さらに、ワイヤ１０の両端近傍をワイヤクリップ１３に挿通させて、ループ１０ａを形成する。なお、ワイヤ１０を４つのループ用金具１２のワイヤ挿通穴１２ａに予め通した状態で、ループ用金具１２をネット２に固定してもよい。
【００３４】
ワイヤクリップ１３は後述するループ交点固定金具を構成するものであるが、この段階ではワイヤ１０の両端近傍を挿通させるだけで締め付け固定はしていない。このワイヤクリップ１３は市販品であるが、図６に示すように、Ｕボルト１５と、その両側のネジ軸部１５ａを通す２つの穴１６ａを持つ押さえ具１６と、Ｕボルト１５の両側のネジ軸部１５ａにそれぞれ螺合するナット１７とからなり、Ｕボルト１５のＵ字状空所にワイヤ１０の両側部分を通し、ナット１７を締め付けて、ワイヤ１０の両側部分を重ねて一体固定することができる。
【００３５】
次いで、ワイヤ１０の一端側を引っ張って、図３のようにワイヤ１０のループ１０ａを収縮させることにより、ワイヤ１０が係合しているネット２の前記１つの網目を収縮させる。こうしてネット２を引き締めて、ネット２に緊張力を与えた後、ループ交点固定金具であるワイヤクリップ１３のナット１７を締め付けて、ワイヤ１０の重ね合わせ部を締め付け固定すると、ループ１０ａがそのサイズに固定され、ネット２の緊張状態が保持される。
ループ用金具１２をネット２に固定する手段は任意であるが、例えば、収縮させようとするネット２の網目をなすリング２ａを作る際に、予め素材針金又はワイヤをループ用金具１２にあけた穴に挿入し、リングにした後にループ用金具１２を圧縮工具で圧縮する（カシメる）ことにより、リング２ａに固定することができる。また、ループ用金具１２は実施例のようにネット２の線材に固定するのが適切であるが、ネット線材に対してスライド可能な状態であってもよい。
なお、ワイヤクリップ１３は、ワイヤ１０のループ１０ａを収縮させる前にはワイヤ１０に取り付けずに、ループ１０ａを収縮させた後に、ワイヤ１０の重ね合わせ部を通して締め付け固定してもよい。
【００３６】
その後、アンカーボルト１の頭部に支圧板３を被せ、ナット４をアンカーボルト１の頂部に螺合させ締め付けて支圧板３を押し下げる。支圧板３で締着した状態の図示は省略した。
【００３７】
上述の斜面安定化工法においては、地盤に埋め込まれたアンカーボルト１自体の抵抗で地盤が拘束されることで、地盤の安定化が図られる。そして、支圧板３が地盤を押し付けることによる支圧効果で地盤拘束効果が高まる。さらに、ネット２が地盤を面状に押さえることによる地盤押さえ込み作用で地盤拘束効果がさらに高まるが、このネット２は、ワイヤ１０により引き締められて緊張状態にあるので、土塊移動が生じる際に直ちにネット２を介して斜面上方のアンカーボルト１に荷重を伝達させることができ、したがって、土塊が微少変形を起こす早い時点で地盤拘束作用を発揮することができ、地盤の安定化に寄与する。
また、ネット２に緊張力を与える手段としては、ワイヤ１０をループにしてネット２に係合させ一端側（若しくは両端側）を引っ張ってループを収縮させ、その状態に固定するという操作で済み、人力で作業できるので、不安定な斜面に特別な機械を搬入するような困難さは生じず、施工性が良好である。
【実施例２】
【００３８】
図７、図８にループ用金具の他の実施例を示す。この実施例のループ用金具２２は、圧縮可能な金属例えばアルミ製で、ワイヤ１０を挿通させるワイヤ挿通穴２２ａと、このワイヤ挿通穴２２ａと平行で、ネット２の線材を横から嵌入可能な凹溝２２ｂを持つ構成である。
この実施例では、予めワイヤ１０を４つのループ用金具２２の各ワイヤ挿通穴２２ａに通しておき、ネット２の１つの網目の周上の４ヶ所で、図７、図８（イ）のようにネット２の線材を各ループ用金具２２の凹溝２２ｂに横から嵌入させた後、圧縮工具を用いて図８（ロ）及び（ハ）のように圧縮して、ループ用金具１２をネット２２に固定する。圧縮部（カシメ部）を２２ｃで示す。これにより、図２と同様なワイヤ１０のループ１０ａが形成される。
この実施例によれば、ネット２の線材にループ用金具２２を簡単に固定することができる。また、単にネットを敷設しただけの従来工法で施工した既存のネットに対しても、本発明を容易に適用できる。
【実施例３】
【００３９】
図９〜図１２に本発明の他の実施例を示す。この実施例では、図９に示すように、収縮させようとする１つのリング（図９で中央のリング）２ａの周囲の、図示例では上下左右の４つのリング（網目）２ａにワイヤ１０を通して縮径可能なループ１０ａにし、次いで、ワイヤ１０を図１２（イ）の矢印のように引っ張って前記ループ１０ａを収縮させることにより、前記４つのリング１０ａをループ中心に引き寄せることで、ネット２に緊張力を与え、次いでワイヤ１０のループ１０ａが拡大しないようループ交点を固定する。
【００４０】
この実施例では、ループ交点固定手段として、図１０、図１１（イ）に拡大して示すように、ワイヤ１０をスライド可能に挿通させるワイヤ挿通穴３２ａと、ワイヤ１０の基端部を係合させるための基端部係合用の第２のワイヤ挿通穴３２ｂとを持つアルミ製のループ交点固定金具３２を用い、ワイヤ１０の基端部に前記第２のワイヤ挿通穴３２ｂより大きな膨大部３３を設けている。
ワイヤ１０を第２のワイヤ挿通穴３２ｂに基端側の膨大部３３まで挿通させた後、先端側をワイヤ挿通穴３２ａに挿入すると、図９のように、膨大部３３で抜け止めが図られた状態でループ１０ａが形成される。
図１２（イ）、（ロ）、（ハ）にワイヤ１０のループ１０ａを収縮させループ交点固定する要領を示す。同図（イ）の矢印のようにワイヤ１０を引っ張ると、ワイヤ１０のループ１０ａが（ロ）のように収縮し、所望のサイズに収縮させた後、圧縮工具を用いて（ハ）のように圧縮固定する。圧縮部を３２ｃで示す。この場合、図１１（ロ）、（ハ）のように、ワイヤ１０の基端部を挿入している第２のワイヤ挿通穴３２ｂ側も一緒に圧縮固定するのが適切であるが、膨大部３３で抜け止めが図られているので、第２のワイヤ挿通穴３２ｂ側は必ずしも圧縮固定しなくてもよい。
【００４１】
上記図９〜図１２の実施例では、ワイヤ１０がネット２の網目交点に係合する形でループ１０ａを形成できるので、図１〜図８の実施例のような、ネット２の線材に直接固定するループ用金具１２、２２を別途に設けることは不要であり、部品点数が削減され、また、施工も簡略化される。
なお、ループ交点固定金具をワイヤ１０の基端部に予め固定した構成としてもよいが、上記実施例のように、基端部の膨大部３３で抜け止めを図る構成とすると、ワイヤ１０を第２のワイヤ挿通穴３２ｂに通すだけで済むので、ループ交点固定金具をワイヤ１０の基端部に取り付ける手段として好適である。
【実施例４】
【００４２】
図１３に本発明の更に他の実施例を示す。この実施例は、使用するネット２が上述の各実施例と同じくリングからなるネット、すなわち針金又はワイヤのリングを互いに絡ませて網目を形成したネットであるが、その一部のリングを、ワイヤ１０をループ１０ａにして形成したループ型リング２ｂで構成（すなわち、ワイヤ１０のループ１０ａ自体がループ型リング２ｂ）している。
この実施例では、図９〜図１２の実施例におけるループ交点固定金具３２と同じ構造のループ交点固定金具３２を用いており、この実施例における１つのループ型リング２ｂの構成は、図９〜図１２の実施例におけるワイヤ１０のループ１０ａの構成と同様である。ループ交点固定金具３２の構成の再度の説明は省略する。
この実施例では、リングからなるネット２を製造する際に、収縮させようとする一部のリングを、ループ型リング２ｂで構成しておく。そして、ネット２に緊張力を与える際に、既に説明した図１２（イ）、（ロ）、（ハ）の要領で、ワイヤ１０のループ１０ａ（ループ型リング２ｂ）を収縮させ、次いでループ交点を固定する。すなわち、ワイヤ１０を同図（イ）の矢印のように引っ張って、（ロ）のようにループ１０ａ（ループ型リング２ｂ）を収縮させることで、ループ１０ａ（ループ型リング２ｂ）を所望のサイズに収縮させた後、圧縮工具を用いて（ハ）のように圧縮固定する。
この実施例では、ワイヤ１０のループ１０ａを収縮させることが、ネット２の１つの網目（リング）を収縮させることと同一なので、構成が一層簡略化される。
また、収縮させるべき網目自体がワイヤ１０のループ１０ａで形成されているので、網目の均等な収縮が行われ、ネット２に放射状の均等な緊張力を与えることができる。
【実施例５】
【００４３】
図１４に本発明の更に他の実施例を示す。この実施例は、ネット２が同じくリングからなるネットであるが、そのすべてのリングを、ワイヤ１０をループ１０ａにして形成したループ型リング２ｂで構成している。ループ型リング２ｂ及びこれに用いるループ交点固定金具３２は図１３の実施例のものと同じである。
この実施例では、リングからなるネット２のすべてがワイヤ１０のループ１０ａで形成されているので、任意の網目を選択して収縮させることができ、施工現場の状況に応じた適切な地点でネット２に緊張力を発生させることができる。
【実施例６】
【００４４】
図１〜図６の実施例において、収縮させたループ１０ａが拡大しないようにループ交点を固定するループ交点固定手段としてワイヤクリップ１３を用いたが、このワイヤクリップ１３に代えて、図９〜図１２の実施例におけるループ交点固定金具３２と同じ構造の金具を用いることもできる。この場合にループ交点を固定する要領は、図９〜図１２の実施例における場合と概ね同様であり、説明は省略する。
【実施例７】
【００４５】
上述の各実施例ではネットとしてリングからなるネットを用いたが、これに限らず、図１８に示すように、菱形金網のネット２’を用いることもできる。菱形金網の場合は通常、網目があまり大きくないので、１つの網目だけを収縮させる方法は適切ではなく、複数の網目にワイヤ１０を通して、複数の網目を含んだ一定の大きさのループを形成し、複数の網目を収縮させることが適切である。
【００４６】
本発明の斜面安定化工法は、上述の実施例のように、アンカー頭部に取り付けた支圧板３を締着して地盤に支圧力を作用させるのが適切であるが、アンカーを地盤に設置するだけで支圧板を用いない工法を除外するものではない。
また、実施例ではアンカーとしてアンカーボルト１を用いているが、上部だけにネジ部を持つアンカーでもよい。また、支圧板を用いない工法の場合には、ネジ部のないアンカーを用いてもよい。また、アンカーの設置は、実施例のように、予め地盤にあけたアンカー穴にアンカーを挿入しグラウトを注入する方法に限らず、地盤に直接打ち込む方法でもよい。
【図面の簡単な説明】
【００４７】
【図１】本発明の一実施例の斜面安定化工法におけるネット引き締め部の近傍を説明するもので、ネット引き締め前の段階における斜面の要部断面図である。
【図２】上記実施例の斜面安定化工法におけるネット引き締め部の近傍を説明するもので、図１の斜面のネット引き締め前の模式的な平面図である。
【図３】図２においてネット引き締めを行った後の模式的な平面図である。
【図４】図１〜図３におけるループ用金具の部分の拡大斜視図である。
【図５】図４のＡ−Ａ断面図である。
【図６】図１〜図３におけるループ交点固定金具であるワイヤクリップ部分の詳細図である。
【図７】ループ用金具についての他の実施例を示すもので、ループ用金具をネット線材に固定する前の状態の拡大斜視図である。
【図８】（イ）は図７のＢ−Ｂ断面図、（ロ）は（イ）のループ用金具を圧縮してネット線材に固定した状態の断面図、（ハ）は（ロ）の左側面図である。
【図９】本発明のさらに他の実施例の斜面安定化工法におけるネット引き締め部の近傍を説明するもので、ネット引き締め前の模式的な平面図である。
【図１０】図９におけるループ交点固定金具を示すもので、ループ固定を行う前の段階の拡大斜視図である。
【図１１】（イ）は図１０におけるＣ−Ｃ断面図、（ロ）は（イ）のループ交点固定金具を圧縮してループ固定を行った後の断面図、（ハ）は（ロ）の右側面図である。
【図１２】図９におけるワイヤのループを収縮させ固定する要領を説明する図であり、（イ）は収縮前のループ、（ロ）は収縮途中のループ、（ハ）は収縮させループ固定を行った段階のループを示す。
【図１３】ネットがリングからなるネットであり一部の網目をワイヤのループで構成した実施例における、ネット引き締め部の近傍を説明するもので、ネット引き締め前の斜面の模式的な平面図である。
【図１４】ネットがリングからなるネットであり全ての網目をワイヤのループで構成した実施例を説明するもので、ネット引き締め前の斜面の模式的な平面図である。
【図１５】上記各実施例におけるリングからなるネットの平面図であり、ネットに対するアンカー位置の一例を示す。
【図１６】上記各実施例におけるリングからなるネットの平面図であり、ネットに対するアンカー位置の他の例を示す。
【図１７】上記リングからなるネットの網目構造の詳細を説明する要部拡大図である。
【図１８】本発明のネットが菱形金網である場合のネット平面図であり、ネットに対するアンカー位置の一例を示す。
【符号の説明】
【００４８】
１  アンカーボルト（アンカー）
２  ネット（リングからなるネット）
２ａ  リング
２’  ネット（菱形金網）
２ｂ  ループ型リング
３  支圧板
４  ナット
６  アンカー穴
７  グラウト
１０  ワイヤ
１０ａ  ループ
１２  ループ用金具
１２ａ、２２ａ  ワイヤ挿通穴
１３  ワイヤクリップ（ループ交点固定金具）
１５  Ｕボルト
１５ａ  ネジ軸部
１６  押さえ具
１６ａ  穴
１７  ナット
２２ｃ、３２ｃ  圧縮部（カシメ部）
３２  ループ交点固定金具
３２ａ  ワイヤ挿通穴
３２ｂ  第２のワイヤ挿通穴
【図１】
2006037533.tif 000003
【図２】
2006037533.tif 000004
【図３】
2006037533.tif 000005
【図４】
2006037533.tif 000006
【図５】
2006037533.tif 000007
【図６】
2006037533.tif 000008
【図７】
2006037533.tif 000009
【図８】
2006037533.tif 000010
【図９】
2006037533.tif 000011
【図１０】
2006037533.tif 000012
【図１１】
2006037533.tif 000013
【図１２】
2006037533.tif 000014
【図１３】
2006037533.tif 000015
【図１４】
2006037533.tif 000016
【図１５】
2006037533.tif 000017
【図１６】
2006037533.tif 000018
【図１７】
2006037533.tif 000019
【図１８】
2006037533.tif 000020